(57)【要約】【課題】防錆対策が施され、しかも、回転バランスが精度よくとられたブラシレスモータ用ロータを提供する。【解決手段】ロータ１０は、永久磁石２と、該円筒状の永久磁石２を貫通するシャフト１と、永久磁石２の両端に配設され前記シャフト１が貫通されたバランスリング３とを有する。永久磁石２の外周面に防錆処理層５を有し、該防錆処理層５の表面が研削されて回転バランスがとられている（図１（Ａ）〜図１（Ｃ））。【選択図】図１
2007135332.tif 000002
【特許請求の範囲】
【請求項１】
円筒状の永久磁石と、該円筒状の永久磁石を貫通するシャフトと、前記永久磁石の両端に配設され前記シャフトが貫通されたバランスリングとを有するロータであって、前記永久磁石の外周面に防錆処理層を有することを特徴とするブラシレスモータのロータ。
【請求項２】
前記防錆処理層が研削されて回転バランス調整されていることを特徴とする請求項１に記載のブラシレスモータのロータ。
【請求項３】
前記円筒状永久磁石両端の内径部に設けられた面取りテーパ部と、前記バランスリング端面の内径部に設けられ前記永久磁石の面取りテーパ部に係合するテーパ部とを有し、これら永久磁石の面取りテーパ部とバランスリングのテーパ部とが係合され芯出しがなされていることを特徴とする請求項１又は２に記載のブラシレスモータのロータ。
【請求項４】
前記円筒状永久磁石両端の外径部に設けられた面取りテーパ部と、前記バランスリング端面の外径部に設けられ前記永久磁石の面取りテーパ部に係合するテーパ部とを有し、これら永久磁石の面取りテーパ部とバランスリングのテーパ部とが係合されて芯出しがなされていることを特徴とする請求項１又は２に記載のブラシレスモータのロータ。
【請求項５】
回転磁界を発生させるステータと、前記回転磁界に追従して回転するロータとから成るブラシレスモータにおいて、前記ロータは、請求項１乃至４のいずれかに記載のロータであることを特徴とするブラシレスモータ。
【請求項６】
円筒状の永久磁石と、該円筒状の永久磁石を貫通するシャフトと、前記永久磁石の両端に配設され前記シャフトが貫通されたバランスリングとを有するロータであって、前記バランスリングの一方が筒状に形成され、該筒状部内に前記永久磁石が収納され、該筒状のバランスリングと他方のバランスリングとによって前記永久磁石を密閉していることを特徴とするブラシレスモータのロータ。
【請求項７】
前記筒状のバランスリングの外径が研削されてバランス調整がなされていることを特徴とする請求項６に記載のブラシレスモータのロータ。
【請求項８】
回転磁界を発生させるステータと、前記回転磁界に追従して回転するロータとから成るブラシレスモータにおいて、前記ロータは、請求項６又は７に記載のロータであることを特徴とするブラシレスモータ。
【発明の詳細な説明】
【技術分野】
【０００１】
本発明は、ブラシレスモータ及び該ブラシレスモータに用いて好適なロータに関し、より詳細には、歯科治療において歯牙の切削等に用いるマイクロモータとして使用して好適なブラシレスモータ及びブラシレスモータに用いて好適なロータ。
【背景技術】
【０００２】
歯科治療においては、歯牙の切削等のために、マイクロモータを用いるが、このマイクロモータとして、一般的には、２０００〜４０,０００rpmのブラシ付モータが使用されている。しかし、ブラシ付モータは、回転中に、ブラシから粉塵が発生し、不衛生であるばかりでなく、モータの寿命を縮める等の問題があった。
【０００３】
そのため、最近では、ブラシを使用しないブラシレスモータの使用が試みられているが、このブラシレスモータは、回転バランスをとるのが難かしく、回転バランスが十分にとれていないと、回転ムラや騒音を発生する等の問題があった。
【０００４】
図２は、ブラシレスモータに使用されるロータの一例を説明するための斜視図、図３は、該ロータがステータ内に配設されている状態を示す図で、図中、１０はロータ（永久磁石）、２０はステータ（回転磁界発生部）で、該ロータ１０は、回転軸１、永久磁石２、バランスリング３、ベアリング４等から成る。バランスリング３は永久磁石２の両側において、回転軸１に一体的に取り付けられている。このロータ１０は、図３に示すように、回転（又は交番）磁界を発生するコイル（ステータ）２０内に配設され、該回転（又は交番）磁界の変化に追従して回転する。
【０００５】
而して、歯科治療においては、歯牙の切削にマイクロモータを使用するが、このマイクロモータの回転数は、通常、２０００〜４０,０００rpmの回転数で使用されており、回転バランスが悪いと、特に、高速回転時、偏心回転し、回転軸が撓んでしまい、永久磁石２の内径両端部に応力集中がおこり、永久磁石２が破損したりする等の問題があった。
【０００６】
上述のごときブラシレスモータにおけるロータの回転バランスをとるために、従来は、永久磁石２の外径を研削して不バランスをなくすようにしていたが、永久磁石は型取り、切削共に寸法精度が悪く、回転バランスを精度よくとるようにすることは困難であった。
【０００７】
また、永久磁石を研削して回転バランスをとるようにしているため、永久磁石２表面に防錆処理（メッキ処理、塗装処理等）を施すことができない（防錆処理を行うことでバランスが崩れてしまう）等の問題があった。
【発明の開示】
【発明が解決しようとする課題】
【０００８】
本発明は、上述のごとき実情に鑑みてなされたもので、特に、防錆対策が十分に行なわれ、かつ、回転バランスを精度よくとることのできるブラシレスモータ用ロータ及び該ロータを用いたブラシレスモータを提供することを目的としてなされたものである。
【課題を解決するための手段】
【０００９】
請求項１の発明は、円筒状の永久磁石と、該円筒状の永久磁石を貫通するシャフトと、前記永久磁石の両端に配設され前記シャフトが貫通されたバランスリングとを有するロータであって、前記永久磁石の外周面に防錆処理層を有することを特徴としたものである。
【００１０】
請求項２の発明は、請求項１の発明において、前記防錆処理層が研削されてバランス調整されていることを特徴としたものである。
【００１１】
請求項３の発明は、請求項１又は２の発明において、前記円筒状永久磁石両端の内径部に設けられ面取りテーパ部と、前記バランスリング端面の内径部に設けられた前記永久磁石の面取りテーパ部に係合するテーパ部とを有し、これら永久磁石の面取りテーパ部とバランスリングのテーパ部とが係合され芯出しがなされていることを特徴としたものである。
【００１２】
請求項４の発明は、請求項１又は２の発明において、前記円筒状永久磁石両端の外径部に設けられた面取りテーパ部と、前記バランスリング端面の外径部に設けられ前記永久磁石の面取りテーパ部に係合するテーパ部とを有し、これら永久磁石の面取りテーパ部とバランサのテーパ部とが係合されて芯出しがなされていることを特徴としたものである。
【００１３】
請求項５の発明は、回転磁界を発生させるステータと、前記回転磁界に追従して回転するロータとから成るブラシレスモータにおいて、前記ロータは、請求項１乃至４のいずれかの発明であることを特徴とするブラシレスモータである。
【００１４】
請求項６の発明は、円筒状の永久磁石と、該円筒状の永久磁石を貫通するシャフトと、前記永久磁石の両端に配設され前記シャフトが貫通されたバランスリングとを有するロータであって、前記バランスリングの一方が筒状に形成され、該筒状部内に前記永久磁石が収納され、該筒状のバランスリングと他方のバランスリングとによって前記永久磁石を密閉していることを特徴としたものである。
【００１５】
請求項７の発明は、請求項６の発明において、前記筒状のバランスリングの外径が研削されて回転バランス調整がなされていることを特徴としたものである。
【００１６】
請求項８の発明は、回転磁界を発生させるステータと、前記回転磁界に追従して回転するロータとから成るブラシレスモータにおいて、前記ロータは、請求項６又は７の発明であることを特徴とするブラシレスモータである。
【発明の効果】
【００１７】
本発明によると、永久磁石の表面に防錆処理を厚めに施し、その後に、該防錆処理層を研削することにより、該ロータの回転バランスを取るようにしたので、表面に防錆処理を施すことができ、しかも、回転バランスのよいブラシレスモータ用のローラを提供することができる。
【００１８】
更には、永久磁石の内径部又は外径部に面取りテーパ部を設け、これら面取りテーパ部に対して、バランスリングにもテーパ部を設け、これらテーパ部同志を係合させるようにしたので、ロータの芯出しを容易に行なうことができる。
【００１９】
更には、バランスリングの一方を筒状に形成し、該筒状内に永久磁石を密閉するようにしたので、永久磁石を保護することができ、しかも、この筒状にしたバランスリングの外周面を研削することにより、回転バランスを取るようにしたので、回転バランスをより容易にかつ精度よくとることができる。
【発明を実施するための最良の形態】
【００２０】
図１（Ａ）乃至図１（Ｄ）は、それぞれ本発明によるロータの実施例を説明するための断面構成図で、図中、１は回転シャフト、２は永久磁石、３はバランスリング、５は本発明によって付加された防錆処理層で、この防錆処理は、例えば、メッキ処理、或いは、塗装処理である。
【００２１】
図１（Ａ）に示した実施例は、永久磁石２の表面に防錆処理層５を厚めに施した後、この防錆処理層５の表面を研削して回転バランスをとるようにしたもので、永久磁石に防錆処理を施すことができ、しかも、防錆層の研削により回転バランスをとることができるので、容易にかつ精度よく回転バランスをとることができる。
【００２２】
図１（Ｂ）に示した実施例は、防錆処理された永久磁石２の内径部を面取りしてテーパ面２ａを形成し、この面取りテーパ面２ａにバランスリング３の内径部テーパ面３ａを係合させるようにして、これによって、芯出しを容易にしたものである。
【００２３】
図１（Ｃ）に示した実施例は、防錆処理された永久磁石２の外径部を面取りしてテーパ面２ｂを形成し、この面取りテーパ面２ｂにバランスリング３の外径部テーパ面３ｂを係合させるようにし、これによって、芯出しを容易にしたものである。
【００２４】
図１（Ｄ）に示した実施例は、バランスリングの一方を筒状３’に形成し、この筒状３’の中に永久磁石２を収納し、該筒状３’の開口部を他方のバランスリング３にて密閉することによって、永久磁石２の防錆を図り、同時に、この筒状３’部の外径を研削することによって、回転バランスをとるようにしたものである。
【００２５】
上記本発明によると、永久磁石２は効果的に防錆が施され、しかも、この防錆部材を研削することによって回転バランスをとることができるので、つまり、防錆処理を行った後に、回転バランスをとるための研削を行うため、回転バランスをとるため工作が容易になり、より精度よく回転バランスをとることができる。
【００２６】
更には、上述のごとくして、防錆処理が施され、かつ、回転バランスがとられたロータを用いて、ブラシレスモータを構成すると、回転ムラがなく、騒音がなく、腐蝕による劣化がなく、回転のスムーズなブラシレスモータを得ることができる。
【図面の簡単な説明】
【００２７】
【図１】本発明によるブラシレスモータ用ロータの各実施例を説明するための要部断面図である。
【図２】本発明が適用されるブラシレスモータ用ロータの外観構成を示す図である。
【図３】ブラシレスモータにおけるロータとステータの関係を説明するための概念図である。
【符号の説明】
【００２８】
１…シャフト、２…ロータ（永久磁石）、２ａ，２ｂ…面取りテーパ面、３…バランスリング、３ａ，３ｂ…テーパ面、３’…円筒部、４…ベアリング、５…防錆処理層。
【図１】
2007135332.tif 000003
【図２】
2007135332.tif 000004
【図３】
2007135332.tif 000005